(57)【要約】      （修正有）【課題】壁掛け取り付け時に壁掛け装置以外の用具を用いることなく、壁掛け装置を壁面に対して水平・垂直に設置可能な壁掛け装置を提供する。【解決手段】鉛直方向に立設された壁面に取付けられる壁掛け装置１０は、複数のネジ用穴が穿設された裏板を持つ奥側筐体２０と、この奥側筐体に嵌合される前側筐体３０とを備える。前側筐体は、水平方向に延在すべき上面を持つ筐体本体部３２と、この筐体本体部に対して着脱自在に取り付け可能な小扉３４とを有する。小扉は、筐体本体部から取り外された状態において、重量バランス的に中央に位置する箇所に支点機能を果たす引っ掛け凸部を具備する。筐体本体部は、その前面に、上面から所定距離離間した位置で、上面と平行に延びる水平基準線３２５ａ−１を持つ。筐体本体部から取り外されたとき、小扉は、引っ掛け凸部を上面上に係合させて、水平基準線と協働して、水準器として働く。【選択図】図１
2011210914.tif 000002
【特許請求の範囲】
【請求項１】
鉛直方向に立設された壁面に取付けられる壁掛け装置であって、
前記壁面に複数のネジでそれぞれ取付けられる複数のネジ用穴が穿設された裏板を持つ奥側筐体と、
該奥側筐体に嵌合される前側筐体であって、少なくとも水平方向に延在すべき上面を持つ筐体本体部と、該筐体本体部に対して着脱自在に取り付け可能な小扉とを有する、前記前側筐体と備え、
前記小扉は、前記筐体本体部から取り外された状態において、重量バランス的に中央に位置する箇所に支点機能を果たす引っ掛け凸部と、該引っ掛け凸部を中心にして左右両側に水平方向に延在する水平部材とを具備し、
前記筐体本体部は、その前面に、前記上面から所定距離離間した位置で、前記上面と平行に延びる水平基準線を持ち、
前記筐体本体部から取り外されたとき、前記小扉は、前記引っ掛け凸部を前記上面上に係合させて、前記水平基準線と協働して、水準器として働くことを特徴とする、壁掛け装置。
【請求項２】
前記筐体本体部は、前記上面に、前記取り外された小扉の前記引っ掛け凸部と係着される係着部を備える、請求項１に記載の壁掛け装置。
【請求項３】
前記筐体本体部は、前記上面に設けられた複数の放熱穴を備え、前記複数の放熱穴の一つが、前記係着部として働くことを特徴とする、請求項２に記載の壁掛け装置。
【請求項４】
前記筐体本体部は、前記前面に矩形形状の表示部を備え、該表示部の上辺が前記水平基準線として働くことを特徴とする、請求項１乃至３のいずれか１項に記載の壁掛け装置。
【請求項５】
前記筐体本体部は、前記小扉が取り付けられる小扉取付け部を有する、請求項１乃至４のいずれか１項に記載の壁掛け装置。
【請求項６】
請求項１に記載の壁掛け装置を、前記壁面に取り付ける方法であって、
前記複数のネジをそれぞれ前記裏側筐体の前記複数のネジ穴を介して前記壁面に仮螺合して、前記奥側筐体を前記壁面に仮固定する工程と、
前記前側筐体を前記奥側筐体へ仮嵌合する工程と、
前記取り外した小扉の前記引っ掛け凸部を、前記上面上に係合させて、前記小扉を前記水準器としてバランスさせる工程と、
前記小扉の前記水平部材と前記水平基準線とが互いに平行となるように、前記壁掛け装置の取付け角度を調整する工程と、
前記上面上における前記取り外した小扉の係合を解除する工程と、
前記前側筐体を前記奥側筐体から取り外す工程と、
前記複数のネジをそれぞれ前記複数のネジ穴を介して前記壁面に本螺合して、前記奥側筐体を前記壁面に本締めする工程と、
前記前側筐体を前記奥側筐体へ本嵌合する工程と、
を含む壁掛け装置の取付け方法。
【請求項７】
前記仮嵌合する工程と前記バランスさせる工程との間に、前記小扉を前記筐体本体部から取り外す工程を有する、請求項６に記載の壁掛け装置の取付け方法。
【請求項８】
前記仮固定する工程と前記仮嵌合する工程との間に、前記小扉を前記筐体本体部から取り外す工程を有する、請求項６に記載の壁掛け装置の取付け方法。
【請求項９】
前記本嵌合する工程の後に、前記小扉を前記筐体本体部に取り付ける工程を有する、請求項６乃至８のいずれか１項に記載の壁掛け装置の取付け方法。
【請求項１０】
前記本締めする工程と前記本嵌合する工程との間に、前記小扉を前記筐体本体部に取り付ける工程を有する、請求項６乃至８のいずれか１項に記載の壁掛け装置の取付け方法。
【発明の詳細な説明】
【技術分野】
【０００１】
本発明は、鉛直方向に立設した壁面に取り付けられる壁掛け装置およびその取付け方法に関する。
【背景技術】
【０００２】
従来、壁掛け装置の筐体における壁掛け取り付け工事は、次のように行われている。まず、予め指定された取り付け寸法に従って、壁面に壁掛け装置の筐体を取り付け、複数本のネジにて締結取り付けする。その際、ネジ取り付け位置に対する作業精度のばらつきは不可避である。その結果、それによる壁掛け装置の筐体の斜め取り付け(ズレ)が頻繁に発生してしまう。
【０００３】
この斜め取り付け(ズレ)を補正するために、壁掛け装置の設置作業現場では、水準器を用いて水平・垂直度を測定し、壁掛け装置の取付けを調整している。
【０００４】
例えば、特開平２−６１４４１号公報（特許文献１）は、水平確認を容易にした「空気調和器の据付装置」を開示している。この特許文献１に開示された据付装置は、据付板の中心線の任意の位置に水準器（逆やじろべえ）を吊り下げるための開口部と係止穴を有する係止片とを設ける。また、据付板には、係止片から一定の位置に水平確認用の水平目印を設けている。据付板に穿設されている多数のねじ穴の任意の１ヵ所をねじで仮止めし、係止片の開口部に水準器を係合させることにより、水準器は摺動して常に左右のアームがバランスして水平を保持する。アームを据付板の水平目印に合致させることにより、据付板の水平を確認できる。
【０００５】
また、特開２００２−１７１０７６号公報（特許文献２）は、火災受信盤を壁面に取付けるための「盤の取付調整機構」を開示している。この特許文献２に開示された盤の取付調整機構では、火災受信盤の筐体の内部に、火災受信盤の水平度を示す水平器を備えている。特許文献２では、水平器として、下げ振り器、気泡式水平器、および角度調整器の少なくとも１つを備えている。目視で水平器を確認しながら、火災受信盤の固定角度を容易に調整している。
【先行技術文献】
【特許文献】
【０００６】
【特許文献１】特開平２−６１４４１号公報
【特許文献２】特開２００２−１７１０７６号公報
【発明の概要】
【発明が解決しようとする課題】
【０００７】
上述して特許文献１，２には、次に述べるような問題点がある。
【０００８】
特許文献１では、壁掛け装置の設置工事担当者は水準器の携行が必須であり、水準器を忘れた場合には工事品質に悪影響を及ぼしてしまう。
【０００９】
また、特許文献２でも、壁掛け装置の筐体とは別に、水平器を備える必要がある。
【００１０】
本発明の目的は、壁掛け装置の筐体の設置方法において、壁掛け取り付け時に壁掛け装置以外の用具を用いることなく、壁掛け装置を壁面に対して水平・垂直に設置可能にした、壁掛け装置およびその取付け方法を提供することにある。
【課題を解決するための手段】
【００１１】
本発明による壁掛け装置は、鉛直方向に立設された壁面に取付けられる壁掛け装置であって、壁面に複数のネジでそれぞれ取付けられる複数のネジ用穴が穿設された裏板を持つ奥側筐体と、この奥側筐体に嵌合される前側筐体であって、少なくとも水平方向に延在すべき上面を持つ筐体本体部と、この筐体本体部に対して着脱自在に取り付け可能な小扉とを有する、上記前側筐体と備える。小扉は、筐体本体部から取り外された状態において、重量バランス的に中央に位置する箇所に支点機能を果たす引っ掛け凸部と、この引っ掛け凸部を中心にして左右両側に水平方向に延在する水平部材とを具備する。筐体本体部は、その前面に、上面から所定距離離間した位置で、上面と平行に延びる水平基準線を持つ。筐体本体部から取り外されたとき、上記小扉は、引っ掛け凸部を上面上に係合させて、水平基準線と協働して、水準器として働くことを特徴とする。
【００１２】
本発明による壁掛け装置の取付け方法は、上記壁掛け装置を、壁面に取り付ける方法であって、複数のネジをそれぞれ裏側筐体の複数のネジ穴を介して壁面に仮螺合して、奥側筐体を壁面に仮固定する工程と、前側筐体を奥側筐体へ仮嵌合する工程と、取り外した小扉の引っ掛け凸部を、上面上に係合させて、小扉を水準器としてバランスさせる工程と、小扉の水平部材と水平基準線とが互いに平行となるように、壁掛け装置の取付け角度を調整する工程と、上面上における取り外した小扉の係合を解除する工程と、前側筐体を奥側筐体から取り外す工程と、複数のネジをそれぞれ複数のネジ穴を介して壁面に本螺合して、奥側筐体を壁面に本締めする工程と、前側筐体を奥側筐体へ本嵌合する工程と、を含む。
【発明の効果】
【００１３】
本発明の効果は、壁掛け装置の取り付け工事の際の位置決め精度において、余分な用具・部材を用いないで対応可能な合理的調整方法を提供できることである。
【図面の簡単な説明】
【００１４】
【図１】本発明の一実施の形態に係る壁掛け装置を、右斜め前方上方から観た外観斜視図である。
【図２】図１に示した壁掛け装置の筐体本体部の小扉取付け部から小扉を取り外して、その取り外した小扉を、筐体本体部の上面上に係合した状態を、右斜め後方上方から観た外観斜視図である。
【図３】図２に示した壁掛け装置の正面図である。
【図４】図１に示した壁掛け装置の筐体本体部から取り外された状態の小扉を示す背面図である。
【図５】図４に示した小扉の引っ掛け凸部の、筐体本体部の上面上の係合（係着）状態を示す、壁掛け装置の主要部の背面断面図である。
【図６】図１に示した壁掛け装置を壁面に取り付ける壁掛け設置工事の動作（手順）の仮固定工程を示す斜視図である。
【図７】図１に示した壁掛け装置を壁面に取り付ける壁掛け設置工事の動作（手順）のバランス工程を示す斜視図である。
【図８】図１に示した壁掛け装置を壁面に取り付ける壁掛け設置工事の動作（手順）の本締め工程を示す斜視図である。
【図９】図１に示した壁掛け装置を壁面に取り付ける壁掛け設置工事の動作（手順）の本嵌合工程を示す斜視図である。
【発明を実施するための形態】
【００１５】
次に、発明を実施するための形態について、図面を参照して詳細に説明する。
【００１６】
図１乃至図３を参照して、本発明の一実施の形態に係る壁掛け装置１０について説明する。図１は壁掛け装置１０を右斜め前方上方から観た外観斜視図である。図２は壁掛け装置１０を右斜め後方上方から観た外観斜視図である。図３は壁掛け装置１０の正面図である。
【００１７】
ここでは、図１乃至図３に示されるように、直交座標系（Ｘ，Ｙ，Ｚ）を使用している。図１乃至図３に示した状態では、直交座標系（Ｘ，Ｙ，Ｚ）において、Ｘ軸方向は前後方向（奥行方向）であり、Ｙ軸方向は左右方向（幅方向、横方向）であり、Ｚ軸方向は上下方向（高さ方向、鉛直方向）である。
【００１８】
図示の壁掛け装置１０は、上下方向Ｚに延在する中心軸を通り、かつ前後方向Ｘおよび上下方向Ｚによって規定される（延在する）平面に対して面対称の構造を有する。
【００１９】
図示の壁掛け装置１０は、例えば、セキュリティ監視通報装置等から成り、鉛直方向Ｚに立設された壁面（図示せず）に取付けられる壁掛け装置である。
【００２０】
壁掛け装置１０は、前後方向Ｘの奥側に設けられる奥側筐体２０と、前後方向Ｘの前側に設けられる前側筐体３０とから構成されている。
【００２１】
奥側筐体２０は、前面が開口した箱型形状をしている。すなわち、奥側筐体２０は、上板（天板）２１と、右側板２２と、左側板２３と、下板（底板）２４と、裏板２５とを有する。
【００２２】
図２に示されるように、この裏板２５には、当該奥側筐体２０を壁面に４本のネジ（後述する）でそれぞれ取付けるための４つのネジ用穴２５ａが穿設されている。ここで、各ネジ用穴２５ａの径は、ネジのネジ部の径より大きく、ネジ頭の径よりも小さい。
【００２３】
前側筐体３０は、奥側筐体２０に嵌合される。前側筐体３０は、筐体本体部３２と、小扉３４とを有する。筐体本体部３２は、実質的に直方体状の箱型形状をしている。すなわち、筐体本体部３２は、上面（天面）３２１と、右側面３２２と、左側面３２３と、下面（底面）３２４と、前面３２５とを有する。また、筐体本体部３２は、当該前面筐体３０を奥側筐体２０に嵌合させるために、これら上面（天面）３２１、右側面３２２、左側面３２３、および下面（底面）３２４から内側へ絞り込んだ状態で、前後方向Ｘの奥側へ突出した嵌合壁３２６を有する。この嵌合壁３２６は、上記奥側筐体２０の上板（天板）２１、右側板２２、左側板２３、および下板（底板）２４の内壁面と摺接することによって、前側筐体３０を奥側筐体２０に嵌合可能とするものである。
【００２４】
したがって、前側筐体３０が嵌合壁３２６によって奥側筐体２０に嵌合されたとき、図１および図２に示されるように、奥側筐体２０の上板（天板）２１、右側板２２、左側板２３、および下板（底板）２４の外壁面は、それぞれ、前側筐体３０の筐体本体部３２の上面（天面）３２１、右側面３２２、左側面３２３、および下面（底面）３２４と同一面上に延在することになる。
【００２５】
尚、筐体本体部３２の上面（天面）３２１は、当該壁掛け装置１０が壁面に取付けられたとき、前後方向Ｘおよび左右方向Ｙによって規定される水平面内の水平方向に延在すべきものである。
【００２６】
小扉３４は、筐体本体部３２に対して着脱自在に取り付け可能である。図示の例では、小扉３４は、筐体本体部３２の下部に設けられている。換言すれば、図３に示されるように、筐体本体部３２は、その下部に、小扉３４が取り付けられる小扉取付け部３２７を有する。小扉３４は、図１に示されるように、筐体本体部３２の小扉取付け部３２７に回転軸３４ａ（図３）にて取り付けられる。
【００２７】
図２および図３は、筐体本体部３２の小扉取付け部３２７から小扉３４を取り外して、その取り外した小扉３４を、後述するように、筐体本体部３２の上面（天面）３２１上に係合した状態を示している。
【００２８】
図１に加えて図４をも参照して、小扉３４の構成について説明する。図４は、筐体本体部３２から取り外された状態の小扉３４を示す背面図である。
【００２９】
小扉３４は、筐体本体部３２の小扉取付け部３２７に取り付けられたときにその小扉取付け部３２７の前面を覆う矩形形状の前扉部３４１と、この前扉部３４１の右端から後方へ延在する右壁板３４２と、前扉部３４１の左端から後方へ延在する左壁板３４３と、前扉部３４１の下端から後方へ延在する底壁板３４４と、前扉部３４１の上端の中央部から後方へ長めに延在する上端延出部３４５とを有する。
【００３０】
図４に示されるように、上端延出部３４５の先端には、下方へ突出する引っ掛け凸部３４６が設けられている。この引っ掛け凸部３４６は、小扉３４が筐体本体部３２の小扉取付け部３２７から取り外されたとき、重量バランス的に小扉３４の中央に位置する箇所で支点機能を果たすものである。
【００３１】
図４から明らかなように、底壁板３４４は、引っ掛け凸部３４６を中心Ｃにして左右両側に水平方向に延在している。したがって、底壁板３４４は、水平部材とも呼ばれる。
【００３２】
図１および図２に加えて図５を参照して、取り外された小扉３４の引っ掛け凸部３４６の、筐体本体部３２の上面（天面）３２１上の係合（係着）状態について説明する。図５は、その係着状態を示す、壁掛け装置１０の主要部の背面断面図である。
【００３３】
図１および図２に示されるように、筐体本体部３２は、その上面（天面）３２１に設けられた複数の放熱穴３２１ａを備えている。図５に示されるように、これら複数の放熱穴３２１ａの一つ３２１ａ−１に、取り外された小扉３４の引っ掛け凸部４４６が係着される。したがって、当該放熱穴３２１ａの一つ３２１ａ−１は、取り外された小扉３４の引っ掛け凸部４４６と係着される係着部として働く。
【００３４】
尚、本実施の形態では、放熱穴３２１ａの一つ３２１ａ−１を、取り外された小扉３４の引っ掛け凸部４４６と係着される係着部として使用しているが、係着部はこれに限定されないのは勿論である。とにかく、筐体本体部３２の上面（天面）３２１に、取り外された小扉３４の引っ掛け凸部４４６を係着可能な形状があれば、その形状を係着部として代用可能である。例えば、係着部は、筐体本体部３２の上面（天面）３２１に形成された凹部であっても良い。
【００３５】
図１に示されるように、筐体本体部３２は、その前面３２５に矩形形状の表示部３２５ａを備える。この表示部３２５ａは、例えば、ＬＣＤ（liquid crystal display）から構成される。表示部３２５ａは、例えば、カレンダ、時計情報、セキュリティ監視状態情報等を表示する。
【００３６】
表示部３２５ａの上辺（上枠）３２５ａ−１は、筐体本体部３２の上面３２１から所定距離離間した位置で、上面３２１と平行に延びている。したがって、本実施形態では、この表示部３２５ａの上辺（上枠）３２５ａ−１は、水平基準線として使用される。
【００３７】
本実施の形態では、表示部３２５ａの上辺（上枠）３２５ａ−１を水平基準線として使用しているが、表示部３２５ａがない場合には、独立に筐体本端部３２の前面３２５に水平基準線を設けてもよいのは勿論である。
【００３８】
このような構成の壁掛け装置１０によれば、筐体本体部３２から取り外されたとき、小扉３４は、その引っ掛け凸部３４６を筐体本体部３２の上面３２１上に係合させて、水平基準線３２５ａ−１と協働して、水準器として働く。
【００３９】
次に、本発明の実施形態の特徴について説明する。
【００４０】
本発明の実施形態は、壁掛け装置１０の筐体の設置方法において、壁掛け取り付け時に壁掛け装置１０以外の用具を用いることなく、壁掛け装置１０を壁面に対して水平・垂直に設定可能にしたことを特徴としている。
【００４１】
天面３２１に放熱穴３２１ａを設けられた筐体本体部３２は、小扉取り付け部３２７と水平基準線３２５ａ−１とを有すると共に、筐体本体部３２に回転軸４３ａにて取り付けられた小扉３４とから構成される。
【００４２】
小扉３４は、重量バランス的に中央に位置する箇所に支点機能を果たす引っ掛け凸部３４６を具備した形状からなる。
【００４３】
本発明の実施の形態による壁掛け装置１０の設置工事の際は、小扉３４を筐体本体部３２から取り外し、筐体本体部３２の天面３２１に具備した放熱穴３２１ａの一つ（係着部）３２１ａ−１に、小扉３４の中央部に具備した引っ掛け凸部３４６を係着させる。
【００４４】
前述したように、引っ掛け凸部３４６は、小扉３４の重量バランス的中心位置に配されているので、小扉３４は引っ掛け凸部３４６を支点とした『やじろべぇ』となって左右重量バランスが取れて、小扉３４の水平部材３４４は壁掛け装置１０設置状態の理想である水平の姿勢を保った形で静止する。
【００４５】
そして、筐体本体部３２に具備した水平基準線３２５ａ−１と小扉３２の水平部材３４４とを調整合致させることで、壁掛け装置１０の筐体を壁面に対して水平・垂直に設置可能となる。
【００４６】
次に、図６乃至図９を参照して、壁掛け装置１０を壁面に取り付ける壁掛け設置工事の動作（手順）について説明する。
【００４７】
図６に示されるように、ネジ回し（図示せず）を使用して、４本のネジ４０をそれぞれ裏側筐体２０の４つのネジ用穴２５ａを介して壁面に仮螺合して、奥側筐体２０を壁面に仮固定する（仮固定工程）。ここで、本明細書中において「仮固定」とは、裏側筐体２０が壁面に対して、摺動可能な状態で固定される状態のことを意味する。したがって、この仮固定状態では、裏側筐体２０を壁面に対して摺動させた後では、その裏面筐体２０はその状態（姿勢）を保持（維持）していることに注意されたい。
【００４８】
引き続いて、図７に示されるように、前側筐体３０を奥側筐体２０へ仮嵌合する（仮嵌合工程）。ここで、本明細書中において「仮嵌合」とは、前側筐体３０を奥側筐体２０に対して取り外し可能な状態で、前側筐体３０を奥側筐体２０に装着する状態のことを意味する。次に、小扉３４を筐体本体部３２の小扉取付け部３２７から取り外す。すなわち、回転軸３４ａ（図３）の回りに小扉３４を回動させて（図１参照）、小扉３４を筐体本体部３２の小扉取付け部３２７から取り外す。
【００４９】
そして、その取り外した小扉３４の引っ掛け凸部３４６（図４）を、筐体本体部３２の上面３２１上に係合させて、小扉３４を水準器としてバランスさせる（バランス工程）。詳述すると、筐体本体部３２の天面３２１にある複数の放熱穴３２１ａの一つ（係着部）３２１ａ−１に、小扉３４の引っ掛け凸部３４６を係着させる（図５参照）。引っ掛け凸部３４６は、小扉３４の重量バランス的中心位置Ｃ（図４）に配されているので、小扉３４は引っ掛け凸部３４６を支点とした『やじろべぇ』となって左右重量バランスが取れて、その水平部材３４４は、壁掛け装置１０設置状態の理想である水平の姿勢を保った形で静止する。
【００５０】
小扉３４の水平部材３４４と水平基準線３２５ａ−１とが互いに平行となるように、壁掛け装置１０の取付け角度を調整する（調整工程）。すなわち、図７に示されるように、小扉３４の水平部材３４４と水平基準線３２５ａ−１との間に角度のズレがあるとき、矢印Ａに示されるように、作業者が前側筐体３０（筐体本体部３２）を回動させ、奥側筐体２０を壁面に対して摺動させて、上記ズレを補正する。
【００５１】
尚、上記実施の形態では、仮嵌合工程とバランス工程との間で、小扉３４を筐体本体部３２から取り外しているが、仮固定工程と仮嵌合工程との間で、小扉３４を筐体本体部３２から取り外してもよい。
【００５２】
その後、筐体本体部３２の上面３２１上における、上記取り外した小扉３４の係合を解除する（解除工程）。そして、前側筐体３０を奥側筐体２０から取り外す（取外し工程）。
【００５３】
次に、図８に示されるように、ネジ回し５０を使用して、４本のネジ４０をそれぞれ４つのネジ用穴２５ａ（図６）を介して壁面に本螺合して、奥側筐体２０を壁面に本締めする（本締め工程）。
【００５４】
そして、図９に示されるように、前側筐体３０を奥側筐体２０へ本嵌合する（本嵌合工程）。その後、小扉３４を筐体本体部３２に取り付ける。
【００５５】
このようにして、壁掛け装置１０を壁面に取り付けることにより、筐体本体部３２の上面３２１を水平に設置できる。
【００５６】
ここで、本実施の形態では、前側筐体３０と奥側筐体２０との嵌まり具合（本嵌合）については何ら規制されず、種々の嵌合を使用してよい。例えば、すきま嵌め、とまり嵌め、しまり嵌めのいずれも、本発明を実施するに当たっては無関係に対応可能である。
【００５７】
尚、上記実施の形態では、本嵌合工程の後に、小扉３４を筐体本体部３２に取り付けているが、この小扉の取付け工程は、この順番（時期）に限定されない。例えば、本締工程と本嵌合工程との間で、小扉３４を筐体本体部３２に取り付けてもよい。或いは、解除工程と取外し工程との間で、小扉３４を筐体本体部３２に取り付けてもよい。その代わりに、取外し工程と本締め工程との間で、小扉３４を筐体本体部３２に取り付けてもよい。
【００５８】
以上説明した本発明の実施の形態においては、以下に記載するような効果を奏する。
【００５９】
本実施の形態による壁掛け装置の取り付け方法は、壁掛け取り付け工事の際の位置決め精度において、余分な用具・部材を用いないで対応可能な合理的調整方法を提供していることである。
【００６０】
以上、実施形態を参照して本発明を説明したが、本発明は上記実施形態に限定されるものではない。本発明の構成や詳細は、本発明のスコープ内で当業者が理解し得る様々な変更をすることができる。例えば、上記実施の形態による壁掛け装置１０では、４本のネジ４０を使用し、４つのネジ用穴２５ａを介して裏側筐体２０を壁面に取り付けているが、ネジの本数やネジ用穴は４に限定されず、複数であってよい。また、上記実施の形態では、小扉３４は、筐体本体部３２の下部に設けられた小扉取付け部３２７に対して着脱自在に取り付けられているが、小扉３４の設置場所（取付け場所）は、筐体本体部３２の下部に限定されないのは勿論である。
【００６１】
上記の実施形態の一部又は全部は、以下の付記のようにも記載されうるが、以下には限定されない。
【００６２】
（付記１）鉛直方向に立設された壁面に取付けられる壁掛け装置であって、
前記壁面に複数のネジでそれぞれ取付けられる複数のネジ用穴が穿設された裏板を持つ奥側筐体と、
該奥側筐体に嵌合される前側筐体であって、少なくとも水平方向に延在すべき上面を持つ筐体本体部と、該筐体本体部に対して着脱自在に取り付け可能な小扉とを有する、前記前側筐体と備え、
前記小扉は、前記筐体本体部から取り外された状態において、重量バランス的に中央に位置する箇所に支点機能を果たす引っ掛け凸部と、該引っ掛け凸部を中心にして左右両側に水平方向に延在する水平部材とを具備し、
前記筐体本体部は、その前面に、前記上面から所定距離離間した位置で、前記上面と平行に延びる水平基準線を持ち、
前記筐体本体部から取り外されたとき、前記小扉は、前記引っ掛け凸部を前記上面上に係合させて、前記水平基準線と協働して、水準器として働くことを特徴とする、壁掛け装置。
【００６３】
（付記２）前記筐体本体部は、前記上面に、前記取り外された小扉の前記引っ掛け凸部と係着される係着部を備える、付記１に記載の壁掛け装置。
【００６４】
（付記３）前記筐体本体部は、前記上面に設けられた複数の放熱穴を備え、前記複数の放熱穴の一つが、前記係着部として働くことを特徴とする、付記２に記載の壁掛け装置。
【００６５】
（付記４）前記筐体本体部は、前記前面に矩形形状の表示部を備え、該表示部の上辺が前記水平基準線として働くことを特徴とする、付記１乃至３のいずれか１項に記載の壁掛け装置。
【００６６】
（付記５）前記筐体本体部は、前記小扉が取り付けられる小扉取付け部を有する、付記１乃至４のいずれか１項に記載の壁掛け装置。
【００６７】
（付記６）付記１に記載の壁掛け装置を、前記壁面に取り付ける方法であって、
前記複数のネジをそれぞれ前記裏側筐体の前記複数のネジ穴を介して前記壁面に仮螺合して、前記奥側筐体を前記壁面に仮固定する工程と、
前記前側筐体を前記奥側筐体へ仮嵌合する工程と、
前記取り外した小扉の前記引っ掛け凸部を、前記上面上に係合させて、前記小扉を前記水準器としてバランスさせる工程と、
前記小扉の前記水平部材と前記水平基準線とが互いに平行となるように、前記壁掛け装置の取付け角度を調整する工程と、
前記上面上における前記取り外した小扉の係合を解除する工程と、
前記前側筐体を前記奥側筐体から取り外す工程と、
前記複数のネジをそれぞれ前記複数のネジ穴を介して前記壁面に本螺合して、前記奥側筐体を前記壁面に本締めする工程と、
前記前側筐体を前記奥側筐体へ本嵌合する工程と、
を含む壁掛け装置の取付け方法。
【００６８】
（付記７）前記仮嵌合する工程と前記バランスさせる工程との間に、前記小扉を前記筐体本体部から取り外す工程を有する、付記６に記載の壁掛け装置の取付け方法。
【００６９】
（付記８）前記仮固定する工程と前記仮嵌合する工程との間に、前記小扉を前記筐体本体部から取り外す工程を有する、付記６に記載の壁掛け装置の取付け方法。
【００７０】
（付記９）前記本嵌合する工程の後に、前記小扉を前記筐体本体部に取り付ける工程を有する、付記６乃至８のいずれか１つに記載の壁掛け装置の取付け方法。
【００７１】
（付記１０）前記本締めする工程と前記本嵌合する工程との間に、前記小扉を前記筐体本体部に取り付ける工程を有する、付記６乃至８のいずれか１つに記載の壁掛け装置の取付け方法。
【００７２】
（付記１１）前記解除する工程と前記取り外す工程との間に、前記小扉を前記筐体本体部に取り付ける工程を有する、付記６乃至８のいずれか１つに記載の壁掛け装置の取付け方法。
【００７３】
（付記１２）前記取り外す工程と前記本締めする工程との間に、前記小扉を前記筐体本体部に取り付ける工程を有する、付記６乃至８のいずれか１つに記載の壁掛け装置の取付け方法。
【符号の説明】
【００７４】
１０    壁掛け装置
２０    奥側筐体
２１    上板（天板）
２２    右側板
２３    左側板
２４    下板（底板）
２５    裏板
２５ａ    ネジ用穴
３０    前側筐体
３２    筐体本体部
３２１    上面（天面）
３２１ａ    放熱穴
３２１ａ−１    係着部（放熱穴の一つ）
３２２    右側面
３２３    左側面
３２４    下面（底板）
３２５    前面
３２５ａ    表示部（ＬＣＤ）
３２５ａ−１    水平基準線（表示部の上辺（上枠））
３２６    嵌合壁
３２７    小扉取付け部
３４    小扉
３４ａ    回転軸
３４１    前扉部
３４２    右壁板
３４３    左壁板
３４４    底壁板（水平部材）
３４５    上端延出部
３４６    引っ掛け凸部
４０    ネジ
５０    ネジ回し
【図１】
2011210914.tif 000003
【図２】
2011210914.tif 000004
【図３】
2011210914.tif 000005
【図４】
2011210914.tif 000006
【図５】
2011210914.tif 000007
【図６】
2011210914.tif 000008
【図７】
2011210914.tif 000009
【図８】
2011210914.tif 000010
【図９】
2011210914.tif 000011